(57)【要約】【課題】圧力ホースを継ぎ手に対して保持させることを可能にする引止めデバイスを提供することを課題とする。【手段】外側カバー（３ｂ）を有する圧力ホース（２）を継ぎ手（４）に対して保持させるための引止めデバイスは、固定部材（１０）と、バンド（１２）と、ロープ（１５）と、ホース（２）が継ぎ手（４）から離された時にホース（２）の外側カバー（３ｂ）に食い込んでホース（２）を引止めさせるようになっている切込みプレート（１４）とを有している。バンド（１２）は、金属製リング（３０）と、通常のシステム作動中にホース（２）が膨張することを許容するようになっているゴム製シースを有している。
2008534869.tif 000002
【特許請求の範囲】
【請求項１】
外側カバー（３ｂ）を有するホース（２）を固定アバットメント（４）に引き止めさせるための引止めデバイスであって、
前記引止めデバイスと前記固定アバットメント（４）との機械的接続を実現させるための第一の接続手段（１０）と、
前記デバイスと前記ホース（２）との接続を実現させるための第二の接続手段（１２）と、
前記第一の接続手段（１０）を前記第二の接続手段（１２）と接続するための引止め手段を有し、
前記引止め手段が、前記ホース（２）の前記カバー（３ｂ）に少なくとも部分的に食い込むようになっている切込みプレート（１４）を有していることを特徴とする引止めデバイス。
【請求項２】
前記切込みプレート（１４）が、前記ホース（２）の前記カバー（３ｂ）に食い込むようになっている少なくとも一つの歯（５６）を有している、請求項１に記載の引止めデバイス。
【請求項３】
前記歯（５６）が、前記カバー（３ｂ）に食い込む鋭利な先端を有している、請求項２に記載の引止めデバイス。
【請求項４】
前記歯（５６）が、鋭角な内角を有するように形成されている、請求項２又は３に記載の引止めデバイス。
【請求項５】
前記引止めデバイスが前記ホース（２）に取り付けられた時に、前記ホース（２）の表面と向き合う前記切込みプレート（１４）の端部に前記歯（５６）が設けられている、請求項２〜４の何れか一項に記載の引止めデバイス。
【請求項６】
前記引止めデバイスが、前記切込みプレート（１４）の対称軸に対して対称な二つの歯（５６）を有している、請求項２〜５の何れか一項に記載の引止めデバイス。
【請求項７】
前記引止め手段が、前記ホース（２）の表面に対して締め付けられるようになっているバンド（１２）を含んでいる、請求項１〜６の何れか一項に記載の引止めデバイス。
【請求項８】
前記バンド（１２）が、リング（３０）と、前記リング（３０）内に挿置されて前記ホース（２）の表面と接触するようになっているシース（３４）とを有している、請求項７に記載の引止めデバイス。
【請求項９】
前記シース（３４）が、通常のシステム作動状態において前記ホース（２）の膨張を許容するように構成されている、請求項８に記載の引止めデバイス。
【請求項１０】
前記切込みプレート（１４）が、前記切込みプレート（１４）の前面と直交する回転軸線（Ｙ−Ｙ）を中心として回転自在に前記バンド（１２）に支持されている、請求項７〜９の何れか一項に記載の引止めデバイス。
【請求項１１】
前記第一の接続手段が、固定部材（１０）を含んでいる、請求項１〜１０の何れか一項に記載の引止めデバイス。
【請求項１２】
前記固定部材（１０）が、前記固定部材（１０）の側面と直交する穴軸線（Ｘ−Ｘ）を有する穴を有している、請求項１１に記載の引止めデバイス。
【請求項１３】
前記回転軸線（Ｙ−Ｙ）が、前記穴軸線（Ｘ−Ｘ）と直交する方向に伸びている、請求項１０及び１２に記載の引止めデバイス。
【請求項１４】
前記引止めデバイスが前記ホース（２）に取り付けられた時に前記切込みプレート（１４）を適所に維持させるための支持手段を更に有している、請求項１〜１３の何れか一項に記載の引止めデバイス。
【請求項１５】
前記保持手段が、前記支持手段を含んでいる、請求項１４に記載の引止めデバイス。
【請求項１６】
前記支持手段が、曲げ剛性を発揮するロープ（１５）を含んでいる、請求項１４又は１５に記載の引止めデバイス。
【請求項１７】
前記引止めデバイスが、ロープ（１５）を含んでいる、請求項１〜１５の何れか一項に記載の引止めデバイス。
【請求項１８】
前記切込みプレート（１４）が、通常の作動状態において回転せず、前記ホースが部分的に又は完全に引き抜かれた状態において回転するよう構成されている、請求項１〜１７の何れか一項に記載の引止めデバイス。
【請求項１９】
外側カバー（３ｂ）を有するホース（２）を固定アバットメント（４）に引き止めさせるための引止めデバイス用の取付け組立体であって、
前記アバットメント（４）に接続されるようになっている固定部材（１０）と、
前記ホース（２）を前記アバットメント（４）に対して保持させるためのロープ（１５）と、
前記ホース（２）の前記カバー（３ｂ）に少なくとも部分的に食い込むようになっている切込みプレート（１４）を有することを特徴とする組立体。
【請求項２０】
前記ホース（２）がバンド（１２）によって締め付けられ、前記切込みプレート（１４）が前記バンド（１２）に対して回転自在に支持されている、請求項１９に記載の組立体。
【請求項２１】
前記固定部材（１０）が、前記固定部材（１０）の側面に対して直交する穴軸線（Ｘ−Ｘ）を有する穴を備え、前記切込みプレート（１４）が前記切込みプレート（１４）の前面と直交する回転軸線（Ｙ−Ｙ）を有し、前記穴軸線（Ｘ−Ｘ）が前記回転軸線（Ｙ−Ｙ）に直交する方向へ伸びている、請求項１９又は２０に記載の組立体。
【請求項２２】
前記切込みプレート（１４）が前記カバー（３ｂ）に食い込むようになっている歯（５６）を有し、前記歯（５６）が鋭利な形状を有している、請求項１９〜２１の何れか一項に記載の組立体。
【請求項２３】
前記ロープ（１５）が曲げ剛性を発揮するよう構成されている、請求項１９〜２２の何れか一項に記載の組立体。
【発明の詳細な説明】
【技術分野】
【０００１】
本発明は、圧力ホース、特に可撓性ホースの引止めデバイス（ｈｏｌｄｉｎｇ  ｂａｃｋ  ｄｅｖｉｃｅ）に関するものである。
【背景技術】
【０００２】
油圧部品の分野においては、規則によって課せられた圧力下にある流体を含んでいるホースを保持することの可能な引止めデバイスを提供することの必要性が益々感じられている。
【０００３】
実際に、加圧された流体のその圧力が規則によって課せられた値を超えた場合に、油圧システムの特別な作動条件又は作動状態に従うべく、加圧下の流体が継ぎ手に接続されたホースを継ぎ手から引き離す可能性があることが知られている。
【０００４】
この出来事は、作業環境における偶然な事態に起因してしばしば引き起こされ、しばしば、オペレータに重大な結果を齎し、機械類の近くの部品に損害を与える。実際に、ホースは突然引き離され、ホースの端部が継ぎ手から離れる方向へ高速で投げ出され、その軌道上の全ての物に対して鞭の如く作用する。
【０００５】
この分野においては、ホースが引き離されることを防止するためにホース及び継ぎ手に接続されるようになっている引止めデバイスについての多くの解決策が考え出されている。
【０００６】
それら解決策の内のいくつかが、例えば、特許文献１〜８に開示されている。
【０００７】
公知のデバイスは、固定部材と、ホースに締め付けられるようになっているバンドと、固定部材をバンドに接続するためのチェーンとを有している。
【０００８】
上述したデバイスの具体例は、本願出願人の名義に係る出願に関連する特許文献９に開示されている。
【０００９】
この特定の分野における趨勢は、より高い圧力値においてホースを継ぎ手に対して確実に引き止めさせておくことの可能な引止めデバイスを実現しようとする方向に向かっている。
【特許文献１】米国特許第４５４９３３２号
【特許文献２】米国特許第３８５９６９２号
【特許文献３】国際公開ＷＯ０１／４２７０３
【特許文献４】英国特許第２２３７３４６号
【特許文献５】カナダ特許第１００４２５０号
【特許文献６】米国特許第３８１３７３３号
【特許文献７】米国特許第３２４９３７０号
【特許文献８】米国特許第５８７３６０８号
【特許文献９】イタリア実用新案登録出願第２４１１６１号
【発明の開示】
【発明が解決しようとする課題】
【００１０】
本発明は、加圧下のホースを固定アバットメント、例えば、継ぎ手に引き止めさせるための引止めデバイスであって、ホースをアバットメントに確実に保持させることの可能な引止めデバイスを提供することを目的とする。
【００１１】
本発明による引止めデバイスの特徴及び利点については、添付図面を参照した、限定的でない実施形態についての後述する説明からより明らかになるであろう。
【発明を実施するための最良の形態】
【００１２】
説明を明確にするために、加圧流体を供給するホースが継ぎ手を介して壁に接続される場合について後述するが、本発明による引止めデバイスは、シリンダー，バルブ及びポンプ等の油圧アクチュエータに継ぎ手を介して接続されるホースを引き止めるのに用いることができることは明らかである。
【００１３】
添付図面を参照すると、参照符号１は、組立体全体を示し、この組立体１は、ホース、例えば、可撓性ホース２と、ホース２を壁６に接続するための継ぎ手４と、ホース２をアバットメント（ａｂｕｔｍｅｎｔ）に保持させるための引止めデバイスとを有している。
【００１４】
引止めデバイスは、デバイスをアバットメントに接続するようになっている固定部材１０と、ホース２の表面に締め付けられるようになっているバンド１２と、バンド１２に接続された切込みプレート１４と、固定部材１０を切込みプレート１４と接続するようになっているロープ１５とを有している。
【００１５】
好ましくは、固定部材１０は、固定部材１０の側面１０ａに対して直交する穴軸線Ｘ−Ｘを有する穴を備えている。
【００１６】
ホース２は、補強用外側カバー３ｂを備えている。
【００１７】
本発明に係る第一の実施形態に依れば、継ぎ手４は、壁６に接続されるアダプター１６と連結可能になっている（図１）。この実施形態においては、継ぎ手４は、ホース２の端部２ａ内に少なくとも部分的に挿入されるようになっている中子１８と、ターニングナット２０とを有している。
【００１８】
第一の実施形態においては、固定部材１０がアダプター１６上に嵌合され、ナット２０がアダプター１６に対して締め付けられているので、固定部材１０は、ナット２０とアダプター１６との間に固定された状態になっている。
【００１９】
別の実施形態においては、継ぎ手４は、ホース２の端部２ａ内に少なくとも部分的に挿入されるようになっている中子１８と、壁６に接続されるフランジ２２とを有している（図３）。この実施形態においては、フランジ２２は複数のネジ２４によって壁６に接続されている。また、この実施形態においては、固定部材１０は、複数のネジ２４のうちの一つのステム上に嵌合されて、フランジ２２に固定されている。
【００２０】
継ぎ手４は、ブッシュ２３と連結可能になっている。特に、ブッシュ２３は、継ぎ手４の中子１８と連結可能で、ホース２の端部２ａをカバーするようになっている。
【００２１】
ブッシュ２３は、適切な組立て工具によって変形されるようになっており、中子１８とブッシュ２３の間のホース２の端部２ａを押圧することによってホース２と継ぎ手４との間の接続を可能にする。
【００２２】
好ましい実施形態に依れば、バンド１２は、ホースの表面を取り囲むようになっている金属製リング３０と、二つの向き合った突部３２とを有している。
【００２３】
更に、バンド１２は、リング３０内に挿置されるようになっているゴム製シース３４を含んでいる。
【００２４】
このシース３４は、通常のシステム作動中にホース２が主に径方向へ膨張することを許容して、ホース２のカバー３ｂが傷つくことを防止するようになっている。
【００２５】
バンド１２は、突部３２を組み合わせるためのネジ３６を更に含んでいる。
【００２６】
ネジ３６を突部３２に挿通締め付けすると、二つの突部３２が近接して、バンド１２のリング３０がホース２の表面上に締め付けられる。
【００２７】
換言すると、突部３２とネジ３６とによって、バンド１２をホース２に対して締め付けるために技術者によって取り扱われる締め付け手段の好ましい具体例が実現されている。
【００２８】
好ましくは、切り込みプレート１４は、バンド１２の突部３２間に位置しているネジ３６のステムの部位に回転自在に支持されている。
【００２９】
切り込みプレート１４は、このプレート１４の前面１４ａと直交する回転軸線Ｙ−Ｙを中心として回転するようになっている。
【００３０】
切り込みプレート１４は、プレート１４をバンド１２に回転自在に支持させた時にホース２の外側面に面する作動端５０と、その作動端５０と反対側に位置する協働端５２との間に延びている。
【００３１】
作動端５０は、不規則なパターンを呈している。換言すると、作動端５０は、曲線によって決定されるパターンを呈している。
【００３２】
特に、このパターンは、中央部５４と、少なくとも一つの歯５６とを有し、その歯５６はホース２のカバー３ｂに食い込むようになっている。
【００３３】
好ましくは、歯５６は二つ設けられ、それら歯５６の間に中央部５４が位置している。これら二つの歯５６は、切込みプレート１４の対称軸に対して対称に形成されている。
【００３４】
好ましくは、歯５６は、限定された両側面によって区画されている。そのような両側面に関しては、ホースの面との間で所定の傾斜角を持つよう形成されている。
【００３５】
好ましくは、歯５６の前記両側面は、ホースの面との関係で鋭角な傾斜角を持つよう形成されている。
【００３６】
更に、歯５６の内角も所定の角度に設定されている。この内角は、歯５６の両側面によって区画される角度である。
【００３７】
好ましくは、その内角は、鋭角に設定されている。
【００３８】
切り込みプレート１４は、それの協働端５２において、ロープ１５に接続されている。
【００３９】
好ましくは、ロープ１５は複数のストランド（ｓｔｒａｎｄ）を有し、これらストランドは好ましくは金属材料から作られていて、それらを撚ることによりロープ１５が作られている。
【００４０】
換言すると、ロープ１５は、曲げ剛性を発揮する。即ち、ロープ１５は、直線状態から曲げられて解放された時に、元の状態に戻る性質を有している。
【００４１】
ロープ１５がこのような特徴を有しているので、ロープ１５は、切り込みプレート１４がバンド１２に回転自在に取り付けられた時に切り込みプレート１４と協働して切り込みプレート１４を適所に維持させる支持手段の好ましい具体例を実現している。
【００４２】
固定部材１０を切り込みプレート１４と接続させるためにロープ１５は曲げられるため、上述した如くロープ１５は元の直線状態に戻る性質を発揮する。そのような性質によって、切り込みプレート１４をホース２上に起立した状態に維持させるための復帰作用が切り込みプレート１４に及ぼされる。
【００４３】
好ましくは、ロープ１５はその両端に固定部材１０とプレート１４とに接続された結び部を有している。
【００４４】
好ましくは、互いに接続された固定部材１０，ロープ１５及び切り込みプレート１４により取付け組立体が構成されている。
【００４５】
通常のシステム作動中に、切り込みプレート１４はロープ１５によって適所に維持されている。この状態においては、歯５６はホース２の表面に若干接触するが、好ましくは、ホースに食い込ませないように歯５６をホースと接触させないよう構成するのが好ましい。
【００４６】
システムの通常の作動中に、ホース２は一般に主として径方向へ膨張させられる。この場合に、ゴム製シース３４がホース２のそのような膨張を許容して、ホース２のカバー３ｂが傷つけられるのを防止する。
【００４７】
そのような通常の作動状態は、ホース内の流体圧力が第一の値になるまで続く。
【００４８】
そのような第一の値を越えると、ホース２は継ぎ手４の中子１８から外れ始める。
【００４９】
部分的に引き抜かれた状態においては、ホース２の端部２ａは中子１８及びブッシュ２３から部分的に引き抜かれ、ロープ１５は切り込みプレート１４に作用して切り込みプレート１４を回転させる。
【００５０】
完全に引き抜かれた状態においては、ホース２の端部２ａは中子１８及びブッシュ２３から完全に引き抜かれる（図２）。
【００５１】
部分的な引き抜きから完全な引き抜きへの進行は急に実施され、加圧された流体のためにシステムにおいて捕らえられるエネルギーは、急に、ホース２の端部２ａの運動エネルギーに変わる。そのような端部は、継ぎ手から離れる方向へ投げ出される傾向を有する。
【００５２】
ホース２の端部２ａの急峻な動きによってロープ１５は急に引張られるようになるため、歯５６がホース２のカバー３ｂに食い込むようになる。
【００５３】
ホース２がバンド１２から部分的に引き抜かれようとしても、ホース２のカバー３ｂに食い込んでいる歯５６がそのような引き抜き動作に強く対抗する。
【００５４】
換言すると、投げ出されるホースの運動エネルギーは、カバー３ｂを壊し及び変形させるエネルギーとして部分的に消費される。
【００５５】
ホース２の端部２ａ上には、完全なる引き抜き後に、ホース２のカバー３ｂ上での歯５６により付けられた溝の存在を確認することができる。
【００５６】
画期的なことには、本発明による引止めデバイスは、引き抜かれたホースの運動エネルギーが部分的に消費されることを許容する。
【００５７】
更に有益なことには、本発明による引止めデバイスは、ホースの表面に干渉するために切り込みプレートを正確な位置に維持させることを可能にする。
【００５８】
更に有益なことに、取付け組立体は、異なった直径のホース用の異なった寸法のバンドと協働するように適合されている。
【００５９】
特定の及び付随する要請に応えるべく、上述した引止めデバイスに当業者が種々の変更及び調整を加えることができ、それら変更及び調整の全てが特許請求の範囲内に含まれるものであることは明らかである。
【図面の簡単な説明】
【００６０】
【図１】継ぎ手及び引止めデバイスに連結されるシステムのホースを含む組立体の、通常の作動状態における、斜視図である。
【図２】ホースが引き抜かれた状態における図１の組立体を示した斜視図である。
【図３】図１の組立体の変形例を示した斜視図である。
【図４】図１に示した引止めデバイスの取付け組立体の斜視図である。
【図１】
2008534869.tif 000003
【図２】
2008534869.tif 000004
【図３】
2008534869.tif 000005
【図４】
2008534869.tif 000006
【国際調査報告】
2008534869.tif 000007
2008534869.tif 000008
2008534869.tif 000009